(57)【要約】【課題】ハンドルレバーにモールド樹脂製ハンドルを嵌合連結した構造の操作ハンドルを対象に、安定したハンドル操作が行えるようにその結合構造を改良する。【解決手段】主回路接点を開閉する回路遮断器の操作ハンドルであって、開閉機構５のベースフレームに枢支したハンドルレバー６の頂部にモールド樹脂製になるハンドル７を嵌合連結し、該ハンドルの基部７ａから起立した摘み７ｂを遮断器本体ケースのカバーに開口したガイド穴を通して引出した構造になるものにおいて、ハンドルレバー６の左右側面に係合突起６ｂを形成するとともに、該係合突起に対向してハンドル基部７ａの側壁面に係合穴７ｃを開口し、ハンドルの基部をハンドルレバーの頂部に押し込み嵌合した連結位置で、前記係合突起に係合穴を係止させてハンドル／ハンドルレバー間をスナップフィット結合し、ハンドル操作時に加える操作力でハンドルの浮き上がり，姿勢の傾きを防止してハンドル操作の安定化を図る。【選択図】        図１
2007305310.tif 000002
【特許請求の範囲】
【請求項１】
開閉機構のトグルリンクに開閉スプリングを介して連繋し、オン，オフ操作により開閉スプリングを反転動作させて主回路接点を開閉する回路遮断器の操作ハンドルであって、開閉機構のベースフレームに枢支したハンドルレバーと、該ハンドルレバーの頂部に嵌合連結したモールド樹脂製になるハンドルからなり、該ハンドルの基部から起立した摘みを遮断器本体ケースのカバーに開口したガイド穴を通して引出した構造になるものにおいて、
前記ハンドルの基部をハンドルレバーに嵌合した連結位置で、ハンドル基部とハンドルレバーとの間をスナップフィット結合したことを特徴とする回路遮断器の操作ハンドル。
【請求項２】
請求項１に記載の操作ハンドルにおいて、ハンドル基部／ハンドルレバー間のスナップフィット結合構造として、ハンドルレバーの左右側面に係合突起を形成するとともに、該係合突起に対向してハンドル基部の側壁面に係合穴を開口したことを特徴とする回路遮断器の操作ハンドル。
【請求項３】
請求項２に記載の操作ハンドルにおいて、ハンドルレバーの側面に形成した係合突起が、そのハンドル挿入側にテーパー面を形成した台形突起であることを特徴とする回路遮断器の操作ハンドル。
【発明の詳細な説明】
【技術分野】
【０００１】
本発明は、配線用遮断器，漏電遮断器などを対象とする回路遮断器に装備した操作ハンドルの組立構造に関する。
【背景技術】
【０００２】
周知のように、頭記の回路遮断器には手動で主回路接点を開閉する操作ハンドルを備えている。この操作ハンドルは、開閉スプリングを介して開閉機構のトグルリンクに連繋し、ハンドル操作により開閉スプリングを反転動作させて主回路接点を開閉するもので、開閉機構のベースフレームに枢支したハンドルレバーの先端（操作端）にモールド樹脂製のハンドルを嵌合連結した構造になり、遮断器本体ケースのカバーに開口したガイド穴を通して引出したハンドルの摘みを手動でＯＮ，オフ位置に操作するようにしている（例えば、特許文献１参照）。
【０００３】
次に、前記操作ハンドルを装備した回路遮断器の構成を図５に示す。図５において、１はケース１ａ，カバー１ｃ，トップカバー１ｃからなる本体ケース（モールド樹脂成形品）、２は固定接触子、３は可動接触子、４は回動式の接触子ホルダ、５はトグルリンク５ａ，ラッチ５ｂ，開閉スプリング５ｃからなるトグルリンク式の開閉機構、６は開閉機構５のベースフレームに枢支したハンドルレバー、７はハンドルレバー６の先端に嵌着したモールド樹脂製のハンドル、８はラッチ５ｃを係止保持するラッチ受け、９は図示されてない過電流引外し装置に連繋したトリップクロスバーであり、開閉機構５の構造，動作については特許文献１に詳しく述べられている。
【０００４】
ここで、前記ハンドル７は上面が円弧状になる箱型（中空構造）のハンドル基部から上方に摘みが起立した形状になる。また、ハンドルレバー６は鋼板を逆Ｕ字形に板金加工してその脚片先端に枢支軸受を形成した形状であり、該ハンドルレバー６の頂部に前記した箱型形状のハンドル基部を上方から嵌め込んで結合する。そして、図示の組立状態ではハンドル７を本体ケース１のトップカバー１ｃで覆い、ハンドル基部から起立した摘みをトップカバー１ｃに開口したガイド穴を通して外部に引出して操作する。なお、開閉機構５の開閉スプリング（引っ張りばね）５ｃは、トグルリンク５ａの上リンクと下リンクの間を連結したトグルピンとハンドルレバー６の上端との間に張架されている。
【０００５】
上記構成で、ハンドル７を手動で図示のＯＮからＯＦＦ位置、もしくはＯＦＦからＯＮ位置に移動操作すると、ハンドルレバー６の傾動に連動して開閉スプリングが反転動作し、トグルリンク５ａを介して接触子ホルダ４に保持されている可動接触子３を開極，閉成位置に駆動する。また、主回路の過電流によりトリップ動作した回路遮断器を再投入する場合には、図示のＴＲＩＰ位置に停止しているハンドル７を一旦ＯＦＦ位置に移動して開閉機構のラッチ５ｂを鎖錠位置にリセットさせた後、ＯＮ位置に移動すると可動接触子３が閉極する。
【特許文献１】特開２００１−７６６０７号公報（図１）
【発明の開示】
【発明が解決しようとする課題】
【０００６】
ところで、前記した従来構造の操作ハンドルには、動作，機能面で次記のような問題点がある。
すなわち、従来構造の操作ハンドルは、組立作業の簡易化からハンドル７の基部（箱型形状）をハンドルレバー６の頂部に嵌合して連結するようにしており、図６の模式図で表すように組立状態ではハンドルレバー６の端面とハンドル基部との間に僅かながら嵌め合い隙間（ガタ）ｇが残る。このために、回路遮断器のＯＮ，ＯＦＦ，リセット操作時にハンドル７の摘みに手を掛けて操作力Ｆ（操作力Ｆの方向を矢印で表す）を加えると、ハンドル７には図示のＰ点を支点として時計方向のモーメント荷重が作用し、鎖線で表すようにＰ点と反対側が上方に浮き上がってハンドル７の姿勢が傾き、ハンドルレバー６（ハンドルレバーには先記した開閉スプリング５ｃの負荷荷重が掛かっている）との間に相対的なずれ角度θが生じるようになる。
【０００７】
しかも、前記のようにハンドル操作時にハンドルレバー６の移動位置とハンドル７との間に相対的な位置のずれが生じると、ハンドルの表示位置がばらついて開閉機構のＯＮ，ＯＦＦ，リセット動作が不安定となるばかりでなく、姿勢が傾いたハンドル７のハンドル基部がその上方を覆っているトップカバー１ｃ（図５参照）に当たって摺動し、その摺動摩擦が負荷荷重となってハンドル操作に大きな操作力Ｆを要する。
【０００８】
なお、上記したハンドルのガタつきを避けるために、ハンドルレバー６とハンドル７とをねじ止めして強固に連結する構造も一部の製品に実施，採用されているが、必要な部品点数，組立工数が増加するほか、強度確保のためにハンドル７の成形肉厚を増す必要があってコスト高となる。
本発明は上記の点に鑑みなされたものであり、その目的は締結ねじを使わずにハンドルをハンドルレバーに嵌合連結するようにした組立構造を改良することで、安定したハンドル操作が行えるようにした回路遮断器の操作ハンドルを提供することを目的とする。
【課題を解決するための手段】
【０００９】
上記目的を達成するために、本発明によれば、開閉機構のトグルリンクに開閉スプリングを介して連繋し、オン，オフ操作により開閉スプリングを反転動作させて主回路接点を開閉する回路遮断器の操作ハンドルであって、開閉機構のベースフレームに枢支したハンドルレバーと、該ハンドルレバーの頂部に嵌合連結したモールド樹脂製になるハンドルからなり、該ハンドルの基部から起立した摘みを遮断器本体ケースのカバーに開口したガイド穴を通して引出した構造になるものにおいて、
前記ハンドルの基部をハンドルレバーに嵌合した連結位置で、ハンドル基部とハンドルレバーとの間をスナップフィット結合するものとし（請求項１）、具体的にはハンドル基部／ハンドルレバー間のスナップフィット結合構造を次記のような態様で構成する。
（１）ハンドルレバーの左右側面に係合突起を形成するとともに、該係合突起に対向してハンドル基部の側壁面に係合穴を開口し、ハンドルの基部をハンドルレバーの頂部部に嵌合する際に、前記係合突起に係合穴を係止させるようにする（請求項２）。
（２）ハンドルレバーの側面に形成した係合突起を台形突起として、そのハンドル挿入側にガイド用のテーパー面を形成する（請求項３）。
【発明の効果】
【００１０】
上記の構成でハンドルの基部をハンドルレバーの頂部に押し込んで嵌着すると、ハンドル基部の周壁がハンドルレバーの端部に僅かなガタ分を残して嵌合し合うと同時に、ハンドル基部の側壁に開口した係合穴がハンドルレバーに形成した係合突起にスナップフィットされてハンドルが抜けないよう連結位置に係止保持される。
したがって、ハンドルの摘みにＯＮ，ＯＦＦ方向の操作力を加えても、図６で述べたようにハンドルの端部がハンドルレバーから浮き上がってハンドルの姿勢，角度が正規の位置からずれ動いたり、ハンドル基部が本体ケースのトップカバーに当たって摺動することがなく、これにより安定したハンドル操作を行うことができて信頼性が向上する。しかも、ねじレス方式であるので部品点数，組立工数が増加することもない。
【発明を実施するための最良の形態】
【００１１】
以下、本発明の実施の形態を図１〜図４に示す実施例に基づいて説明する。
まず、操作ハンドルの組立構造を図１〜図３に示す。すなわち、ハンドルレバー６は鋼板を逆Ｕ字形に板金加工したもので、その脚片の先端に枢支軸受６ａを形成するとともに、左右脚片の側面にはハンドル７のハンドル基部とスナップフィット結合する係合突起６ｂがハンドルレバーの中心軸から変位したオフセット位置に押出し形成されている。また、この係合突起６ｂは図１（ｃ）で示すような台形形状であり、その挿入側には上向きのテーパー面（組立傾斜角：鋭角）が，また戻し側角度は９０度に形成されている。
【００１２】
一方、モールド樹脂成形品になるハンドル７は基本的に従来と同じ構造で、ハンドル基部７ａから上方に摘み７ｂが起立している。また、ハンドル基部７ａは前記ハンドルレバー６の頂部形状を囲む周壁を有し、さらにその左右側壁には前記係合突起６ｂに対向して係合穴（角穴）７ｃが開口している。なお、７ｄはハンドルレバー６の脚片の後端縁と係合するように左右側壁の内側に突き出し形成した嵌合リブである。
【００１３】
上記の構成で、ハンドルレバー６の頂部にハンドル７の基部を押し込み嵌合すると、図示のようにハンドルレバー６とハンドル７との間が嵌合連結され、同時に前記したハンドルレバー６の係合突起６ｂにハンドル７の係合穴７ｃがスナップフィット結合して図１（ｃ）のように係止保持される。この場合に、係合突起６ｂの挿入側をテーパー面としておくことで、ハンドル基部７ａの挿入が楽に行える。
【００１４】
上記構成により、ハンドルレバー６にハンドル７を嵌合連結した状態では、係止突起６ｂと係合穴７ｃとの係合によりハンドル７がハンドルレバー６から抜けることがない。したがって、操作ハンドルを回路遮断器に組み込んだ状態でハンドル７にＯＮ，ＯＦＦ方向の操作力を加えても、図６で述べたようなハンドル７の浮き上がりによる姿勢，角度の傾きが生じるおそれはなく、図４（ａ），（ｂ）に示す回路遮断器のＯＮ，ＯＦＦ状態で、ハンドル７の摘み７ｂに矢印方向の操作力Ｆを加えて遮断器をＯＦＦ，ＯＮ操作する際の動作が安定する。なお、図中でハンドルレバー６とハンドル７とのスナップフィット結合部を符号Ｑで表している。
【００１５】
なお、図示実施例ではハンドルレバー６に係合突起６ｂを、ハンドル７に係合穴７ｃを設けているが、これとは逆にハンドル７に係合突起を、ハンドルレバー６に係合穴を設けてもよい。
【図面の簡単な説明】
【００１６】
【図１】本発明の実施例による操作ハンドルの組立構造図で、（ａ）は側面図、（ｂ）は（ａ）の矢視Ｘ−Ｘ断面図、（ｃ）は（ｂ）におけるＡ部の拡大図
【図２】図１に示した操作ハンドルの外形斜視図で、（ａ），（ｂ）はそれぞれ上方，裏面側から見た俯瞰図
【図３】図１の分解図で、（ａ），（ｂ）はそれぞれハンドル，ハンドルレバーの外形斜視図
【図４】図１の操作ハンドルを装備した回路遮断器の開閉操作説明図で、（ａ），（ｂ）はそれぞれＯＮ→ＯＦＦ，ＯＦＦ→ＯＮのハンドル操作を現す図
【図５】従来構造の操作ハンドルを装備した回路遮断器の組立構造図
【図６】図５の操作ハンドルに操作力を加えた際のハンドルの挙動を表す図
【符号の説明】
【００１７】
１    回路遮断器の本体ケース
１ｃ  トップカバー
５    開閉機構
５ａ  トグルリンク
５ｂ  ラッチ
５ｃ  開閉スプリング
６    ハンドルレバー
６ａ  枢支軸受
６ｂ  係合突起
７    ハンドル
７ａ  ハンドル基部
７ｂ  摘み
７ｃ  係合穴
【図１】
2007305310.tif 000003
【図２】
2007305310.tif 000004
【図３】
2007305310.tif 000005
【図４】
2007305310.tif 000006
【図５】
2007305310.tif 000007
【図６】
2007305310.tif 000008